(57)【要約】【課題】表示画面の焼付けを防止するときに表示される映像をユーザが多様に選択するようにする。【解決手段】情報処理装置１０ｉは、予め設定された所定時間を経過するまでに何らかの操作がなされたか否かを判別し、その結果、所定時間を経過するまで何も操作がなされなかったと判別した場合には、表示されている画面を消去する。その後、情報処理装置１０ｉは、消去された画面に表示させる映像の配信要求を映像配信装置２０に送信し、送信された配信要求に対する映像を受信すると、受信した映像を表示する。映像配信装置２０は、情報処理装置１０ｉより配信要求を受信すると、記憶手段に記憶されている映像を配信要求元の情報処理装置１０ｉに配信する。【選択図】　図１
2004023775.tif 000002
【特許請求の範囲】
【請求項１】
表示画面の焼付けを防止するために配信されてきた配信映像を表示する情報処理装置と、該情報処理装置に表示する該配信映像を配信する映像配信装置とを備える映像配信システムであって、
前記情報処理装置は、
操作が未入力のまま予め設定された所定時間を経過したか否かを判別する判別手段と、
前記判別手段により、操作が未入力のまま前記所定時間を経過したと判別された場合、表示画面に表示させる配信映像の配信要求をネットワークを介して前記映像配信装置に送信する配信要求送信手段と、
送信された前記配信要求した配信映像を前記映像配信装置より受信する配信映像受信手段と、
受信した前記配信映像を表示画面に表示する配信映像表示手段と、
を備え、
前記映像配信装置は、
前記情報処理装置から配信映像の前記配信要求を受信する配信要求受信手段と、
受信した前記送信要求に従い、前記情報処理装置の表示画面に表示する配信映像を送信する配信映像送信手段と、
を備えることを特徴とする映像配信システム。
【請求項２】
表示画面の焼付けを防止する映像を配信する映像配信装置から配信された配信映像をネットワークを介して取得して表示する情報処理装置であって、
操作が未入力のまま予め設定された所定時間を経過したか否かを判別する判別手段と、
前記判別手段により、操作が未入力のまま前記所定時間を経過したと判別された場合、表示画面に表示させる配信映像の配信要求をネットワークを介して前記映像配信装置に自動的に送信する配信要求送信手段と、
送信された前記配信要求した配信映像を前記映像配信装置より受信する配信映像受信手段と、
受信した前記配信映像を表示画面に表示する配信映像表示手段と、
を備えることを特徴とする情報処理装置。
【請求項３】
前記配信映像表示手段により前記配信映像が表示されているときに、ネットワークを介して緊急情報を受信する緊急情報受信手段と、
前記緊急情報受信手段により受信した緊急情報を表示画面に表示する緊急情報表示手段と、
を更に備えることを特徴とする請求項２に記載の情報処理装置。
【請求項４】
前記緊急情報表示手段により表示画面に表示された緊急情報には、該緊急情報に関連する関連情報にアクセスする緊急情報関連アクセス情報がリンクされており、
前記緊急情報関連アクセス情報にアクセスする手段、
を更に備えることを特徴とする請求項３に記載の情報処理装置。
【請求項５】
前記ネットワークとの間の接続状態がオフライン状態である場合に、表示画面に表示させるオフライン用映像を記憶するオフライン用映像記憶手段と、
前記接続状態がオンライン状態であるか又はオフライン状態であるかを判別する接続状態判別手段と、
を備え、
前記配信映像表示手段は、
前記接続状態判別手段により前記接続状態がオフライン状態であると判別された場合には、前記オフライン用映像記憶手段に記憶されているオフライン用映像を表示画面に表示する、
ことを特徴とする請求項２乃至４のいずれか１項に記載の情報処理装置。
【請求項６】
前記配信映像受信手段により受信した前記配信映像には、該配信映像に関連する関連情報にアクセスする配信映像関連アクセス情報がリンクされており、
前記配信映像関連アクセス情報にアクセスする手段
を更に備えることを特徴とする請求項２乃至５のいずれか１項に記載の情報処理装置。
【請求項７】
映像の配信を停止する配信停止手段と、
前記配信停止手段により停止された映像の停止箇所を特定する映像箇所特定手段と、
前記配信停止手段により停止された映像を識別する映像識別情報と前記映像箇所特定手段により特定された前記停止箇所とを含む停止映像情報を前記映像配信装置に送信する停止映像情報送信手段と、
を更に備え、
前記配信要求送信手段は、
前記停止映像情報送信手段により前記停止映像情報を前記映像配信装置に送信したのち、前記配信要求を該映像配信装置に送信し、
前記配信映像受信手段は、
送信された前記配信要求した配信映像が、前記停止映像情報送信手段により送信した停止映像情報に示された映像であって、該映像の停止箇所からの映像を前記映像配信装置より受信する、
ことを特徴とする請求項２乃至６のいずれか１項に記載の情報処理装置。
【請求項８】
前記映像配信装置から配信される配信映像を識別するための配信映像識別情報を入力する識別情報入力手段
を更に備え、
前記配信要求送信手段は、
表示画面に表示させる映像として、前記識別情報入力手段により入力された前記配信映像識別情報に示された配信映像の配信要求を、ネットワークを介して前記映像配信装置に送信する、
ことを特徴とする請求項２乃至７のいずれか１項に記載の情報処理装置。
【請求項９】
表示画面の焼付けを防止する映像を配信する映像配信装置から配信された配信映像をネットワークを介して取得して表示する情報処理方法であって、
操作が未入力のまま予め設定された所定時間を経過したか否かを判別し、
操作が未入力のまま前記所定時間を経過したと判別した場合、表示画面に表示させる配信映像の配信要求をネットワークを介して前記映像配信装置に自動的に送信し、
送信された前記配信要求した配信映像を前記映像配信装置より受信し、
受信した前記配信映像を表示画面に表示する、
ことを特徴とする情報処理方法。
【請求項１０】
情報処理装置の表示画面の焼付けを防止する映像を、ネットワークを介して該情報処理装置に配信する映像配信装置であって、
情報処理装置に送信した映像の履歴を記憶する送信履歴記憶手段と、
情報処理装置から映像の配信要求を受信し、前記配信要求した前記情報処理装置を特定する特定手段と、
前記特定手段により特定された前記情報処理装置に配信する映像を、前記送信履歴記憶手段に記憶されている前記履歴をもとにして決定する映像決定手段と、
前記映像決定手段により決定された映像を、ネットワークを介して前記情報処理装置に配信する映像配信手段と、
を備えることを特徴とする映像配信装置。
【請求項１１】
情報処理装置の表示画面の焼付けを防止する映像を、ネットワークを介して該情報処理装置に配信する映像配信方法であって、
情報処理装置から映像の配信要求を受信し、前記配信要求した前記情報処理装置を特定し、
特定した前記情報処理装置に配信する映像を、予め記憶されている情報処理装置に送信した映像の履歴をもとにして決定し、
決定した映像をネットワークを介して前記情報処理装置に配信する、
ことを特徴とする映像配信方法。
【請求項１２】
操作が未入力のまま予め設定された所定時間を経過したか否かを判別する手順、
操作が未入力のまま前記所定時間を経過したと判別された場合、表示画面の焼付けを防止する映像の配信要求をネットワークを介して、表示画面の焼付けを防止する映像を配信する映像配信装置に自動的に送信する手順、
送信された前記配信要求した配信映像を前記映像配信装置より受信する手順、
受信した前記配信映像を表示画面に表示する手順、
をコンピュータに実行させるプログラム。
【請求項１３】
情報処理装置から表示画面の焼付けを防止する映像の配信要求を受信し、前記配信要求した前記情報処理装置を特定する手順、
特定した前記情報処理装置に配信する映像を、予め記憶されている、情報処理装置に送信した映像の履歴をもとにして決定する手順、
決定した映像をネットワークを介して前記情報処理装置に配信する手順、
をコンピュータに実行させるプログラム。
【発明の詳細な説明】
【０００１】
【発明の属する技術分野】
この発明は、表示画面の焼付けを防止する映像を表示する情報処理装置、情報処理方法、及びプログラムに関する。
また、この発明は、表示画面の焼付けを防止する映像を情報処理装置に配信する映像配信システム、映像配信装置、映像配信方法、及びプログラムに関する。
【０００２】
【従来の技術】
近年、パーソナルコンピュータ等の情報処理装置は、コンピュータの表示画面の焼付けを防止するため、コンピュータの起動後、予め設定された時間を経過するまでに入力がなされないと自動的に表示画面をブラックアウトしたのちアニメーション等の動的な映像を画面に表示させるスクリーンセーバーが設けられている。
【０００３】
【発明が解決しようとする課題】
しかしながら、上述したスクリーンセーバーは、パーソナルコンピュータを購入したとき既に組み込まれているので、ユーザが所望しない映像の場合でも使用しなければならないという問題点があった。
また、上述したスクリーンセーバは、予め設定された映像を表示画面に表示するのみであるので、緊急情報があるときその情報を表示することができないという問題点があった。
【０００４】
この発明は、上述した問題点に鑑み、表示画面の焼付けを防止するときに表示される映像をユーザが多様に選択することができる映像配信システム等を提供することを目的とする。
この発明は、上述した問題点に鑑み、表示画面の焼付けを防止する映像についてユーザが所望する映像を表示画面に表示させる映像配信システム等を提供することを目的とする。
また、この発明は、表示画面の焼付けを防止する映像を表示画面に表示中、緊急情報があるときその情報を表示させる映像配信システム等を提供することを目的とする。
【０００５】
【課題を解決するための手段】
上記目的を達成するために、この発明の第１の観点に係る映像配信システムは、
表示画面の焼付けを防止するために配信されてきた配信映像を表示する情報処理装置と、該情報処理装置に表示する該配信映像を配信する映像配信装置とを備える映像配信システムであって、
前記情報処理装置は、
操作が未入力のまま予め設定された所定時間を経過したか否かを判別する判別手段と、
前記判別手段により、操作が未入力のまま前記所定時間を経過したと判別された場合、表示画面に表示させる配信映像の配信要求をネットワークを介して前記映像配信装置に送信する配信要求送信手段と、
送信された前記配信要求した配信映像を前記映像配信装置より受信する配信映像受信手段と、
受信した前記配信映像を表示画面に表示する配信映像表示手段と、
を備え、
前記映像配信装置は、
前記情報処理装置から配信映像の前記配信要求を受信する配信要求受信手段と、
受信した前記送信要求に従い、前記情報処理装置の表示画面に表示する配信映像を送信する配信映像送信手段と、
を備えることを特徴とする。
【０００６】
このような構成によれば、表示画面の焼付けを防止するときに表示される映像をユーザが多様に選択することができる。
【０００７】
また、この発明の第２の観点に係る情報処理装置は、
表示画面の焼付けを防止する映像を配信する映像配信装置から配信された配信映像をネットワークを介して取得して表示する情報処理装置であって、
操作が未入力のまま予め設定された所定時間を経過したか否かを判別する判別手段と、
前記判別手段により、操作が未入力のまま前記所定時間を経過したと判別された場合、表示画面に表示させる配信映像の配信要求をネットワークを介して前記映像配信装置に自動的に送信する配信要求送信手段と、
送信された前記配信要求した配信映像を前記映像配信装置より受信する配信映像受信手段と、
受信した前記配信映像を表示画面に表示する配信映像表示手段とを備えることを特徴とする。
【０００８】
このような構成によれば、表示画面の焼付けを防止する映像についてユーザが所望する映像を表示画面に表示させることができる。
【０００９】
前記配信映像表示手段により前記配信映像が表示されているときに、ネットワークを介して緊急情報を受信する緊急情報受信手段と、
前記緊急情報受信手段により受信した緊急情報を表示画面に表示する緊急情報表示手段とを更に備えるようにしてもよい。
【００１０】
前記緊急情報表示手段により表示画面に表示された緊急情報には、該緊急情報に関連する関連情報にアクセスする緊急情報関連アクセス情報がリンクされており、
前記緊急情報関連アクセス情報にアクセスする手段を更に備えるようにしてもよい。
【００１１】
前記ネットワークとの間の接続状態がオフライン状態である場合に、表示画面に表示させるオフライン用映像を記憶するオフライン用映像記憶手段と、
前記接続状態がオンライン状態であるか又はオフライン状態であるかを判別する接続状態判別手段と、
を備え、
前記配信映像表示手段は、
前記接続状態判別手段により前記接続状態がオフライン状態であると判別された場合には、前記オフライン用映像記憶手段に記憶されているオフライン用映像を表示画面に表示するようにしてもよい。
【００１２】
前記配信映像受信手段により受信した前記配信映像には、該配信映像に関連する関連情報にアクセスする配信映像関連アクセス情報がリンクされており、
前記配信映像関連アクセス情報にアクセスする手段を更に備えるようにしてもよい。
【００１３】
映像の配信を停止する配信停止手段と、
前記配信停止手段により停止された映像の停止箇所を特定する映像箇所特定手段と、
前記配信停止手段により停止された映像を識別する映像識別情報と前記映像箇所特定手段により特定された前記停止箇所とを含む停止映像情報を前記映像配信装置に送信する停止映像情報送信手段と、
を更に備え、
前記配信要求送信手段は、
前記停止映像情報送信手段により前記停止映像情報を前記映像配信装置に送信したのち、前記配信要求を該映像配信装置に送信し、
前記配信映像受信手段は、
送信された前記配信要求した配信映像が、前記停止映像情報送信手段により送信した停止映像情報に示された映像であって、該映像の停止箇所からの映像を前記映像配信装置より受信するようにしてもよい。
【００１４】
前記映像配信装置から配信される配信映像を識別するための配信映像識別情報を入力する識別情報入力手段
を更に備え、
前記配信要求送信手段は、
表示画面に表示させる映像として、前記識別情報入力手段により入力された前記配信映像識別情報に示された配信映像の配信要求を、ネットワークを介して前記映像配信装置に送信するようにしてもよい。
【００１５】
また、この発明の第３の観点に係る情報処理方法は、
表示画面の焼付けを防止する映像を配信する映像配信装置から配信された配信映像をネットワークを介して取得して表示する情報処理方法であって、
操作が未入力のまま予め設定された所定時間を経過したか否かを判別し、
操作が未入力のまま前記所定時間を経過したと判別した場合、表示画面に表示させる配信映像の配信要求をネットワークを介して前記映像配信装置に自動的に送信し、
送信した前記配信要求した配信映像を前記映像配信装置より受信し、
受信した前記配信映像を表示画面に表示することを特徴とする。
【００１６】
このような構成によれば、表示画面の焼付けを防止する映像についてユーザが所望する映像を表示画面に表示させることができる。
【００１７】
また、この発明の第４の観点に係る映像配信装置は、
情報処理装置の表示画面の焼付けを防止する映像を、ネットワークを介して該情報処理装置に配信する映像配信装置であって、
情報処理装置に送信した映像の履歴を記憶する送信履歴記憶手段と、
情報処理装置から映像の配信要求を受信し、前記配信要求した前記情報処理装置を特定する特定手段と、
前記特定手段により特定された前記情報処理装置に配信する映像を、前記送信履歴記憶手段に記憶されている前記履歴をもとにして決定する映像決定手段と、
前記映像決定手段により決定された映像を、ネットワークを介して前記情報処理装置に配信する映像配信手段とを備えることを特徴とする。
【００１８】
このような構成によれば、表示画面の焼付けを防止するときに表示される映像をユーザが多様に選択することができる。
【００１９】
また、この発明の第５の観点に係る映像配信方法は、
情報処理装置の表示画面の焼付けを防止する映像を、ネットワークを介して該情報処理装置に配信する映像配信方法であって、
情報処理装置から映像の配信要求を受信し、前記配信要求した前記情報処理装置を特定し、
特定した前記情報処理装置に配信する映像を、予め記憶されている情報処理装置に送信した映像の履歴をもとにして決定し、
決定した映像をネットワークを介して前記情報処理装置に配信することを特徴とする。
【００２０】
このような構成によれば、表示画面の焼付けを防止するときに表示される映像をユーザが多様に選択することができる。
【００２１】
また、この発明の第６の観点に係るプログラムは、
操作が未入力のまま予め設定された所定時間を経過したか否かを判別する手順、
操作が未入力のまま前記所定時間を経過したと判別した場合、表示画面の焼付けを防止する映像の配信要求をネットワークを介して、表示画面の焼付けを防止する映像を配信する映像配信装置に自動的に送信する手順、
送信された前記配信要求した配信映像を前記映像配信装置より受信する手順、
受信した前記配信映像を表示画面に表示する手順、
をコンピュータに実行させる。
【００２２】
このような構成によれば、表示画面の焼付けを防止する映像についてユーザが所望する映像を表示画面に表示させることができる。
【００２３】
また、この発明の第７の観点に係るプログラムは、
情報処理装置から表示画面の焼付けを防止する映像の配信要求を受信し、前記配信要求した前記情報処理装置を特定する手順、
特定した前記情報処理装置に配信する映像を、予め記憶されている、情報処理装置に送信した映像の履歴をもとにして決定する手順、
決定した映像をネットワークを介して前記情報処理装置に配信する手順、
をコンピュータに実行させる。
【００２４】
このような構成によれば、表示画面の焼付けを防止するときに表示される映像をユーザが多様に選択することができる。
【００２５】
【発明の実施の形態】
以下、この発明の実施の形態に係る映像配信システムを説明する。
図１は、この発明の実施形態に係る映像配信システムの構成を示すブロック図である。
このシステムは、図１に示すように、情報処理装置１０ｉ（ｉ＝１，２，・・・，ｎ）と、映像配信装置２０とから構成され、情報処理装置１０ｉと映像配信装置２０とはインターネット３０を介して接続されている。
【００２６】
情報処理装置１０ｉは、図２に示すように、制御部１１と、内部記憶部１２と、入力部１３と、表示部１４と、外部記憶部１５と、通信制御部１６とから構成されている。
制御部１１は、ＣＰＵ（Ｃｅｎｔｒａｌ　Ｐｒｏｃｅｓｓｉｎｇ　Ｕｎｉｔ）等を備え、ＯＳ（オペレーティングシステム）、常駐するスクリーンセーバを含む制御部プログラムに従った処理を実行する。
上記スクリーンセーバは、予め設定された時間を経過しても操作に従った入力がなされないと表示画面を消去し（ブラックアウト）、映像配信装置２０に映像の配信要求を行う。また、スクリーンセーバは、映像配信装置２０から配信されてきた映像を表示部１４に表示する。また、スクリーンセーバは、緊急情報があるか否かを判定し、緊急情報があると判定した場合には、緊急情報を表示部１４に表示する。また、スクリーンセーバは、表示された緊急情報を示す映像の所定箇所にあるクリッカブルマップがクリックされると、クリッカブルマップにリンクされているＵＲＬ（Ｕｎｉｆｏｒｍ　Ｒｅｓｏｕｒｃｅ　Ｌｏｃａｔｏｒ）に示される、緊急情報について関連する情報を有するＷｅｂページにアクセスして読み出し、読み出したＷｅｂページを表示部１４に表示する。
【００２７】
内部記憶部１２は、ＲＡＭ（Ｒａｎｄｏｍ　Ａｃｃｅｓｓ　Ｍｅｍｏｒｙ）、ＲＯＭ（Ｒｅａｄ　Ｏｎｌｙ　Ｍｅｍｏｒｙ）等により構成され、上記制御プログラムを記憶するとともに、制御部１１の作業領域に使用される。
【００２８】
入力部１３は、カーソルキー、数字入力キー及び各種機能キー等を備えたキーボード、及びマウスを備え、キーボード上で押下されたキーの押下信号、マウスの操作信号を制御部１１に出力する。
表示部１４は、ＣＲＴ（Ｃａｔｈｏｄｅ　Ｒａｙ　Ｔｕｂｅ）、液晶表示パネル等により構成され、制御部１１により出力され表示データに従った映像を表示する。
【００２９】
外部記憶部１５は、図２に示すように、ハードディスク装置等により構成され、設定事項登録リスト１５１、お気に入り映像リスト１５２、映像データファイル１５３、オフライン映像データファイル１５４と、割込み時作業状態記憶ファイル１５５とを備える。
【００３０】
設定事項登録リスト１５１は、図３に示すように、スクリーンセーバを起動させるための基準となる時間（以下、基準時間という）と、緊急情報が入った場合に緊急情報を表示させるか否かを示す情報（以下、表示判定情報という）とを備えている。
ここで、表示判定情報が「１」の場合には、緊急情報を表示させ、「０」の場合には緊急情報を表示させないことを示す。
【００３１】
お気に入り映像リスト１５２は、ユーザが映像配信装置２０より配信してもらう映像を指定する映像指定ＩＤを備えている。
【００３２】
映像データファイル１５３は、表示画面の焼付きを防止するため映像を生成するための映像データを記憶する。この映像データは、映像配信装置２０から配信されたものであって、文字情報、数値情報、音声情報、ロゴ情報が付加されている。
【００３３】
オフライン映像データファイル１５４は、情報処理装置１０ｉとインターネット３０との間の接続状態がオフライン状態であるとき、スクリーンセーバにより表示部１４に表示される映像データを記憶する。
【００３４】
割込み時作業状態記憶ファイル１５５は、スクリーンセーバによる映像を停止したのち、表示画面に映像を表示する前の画面を再び表示させる画面情報を記憶する。画面情報として、例えば、スクリーンセーバの起動時における制御プログラムのステップ番号、表示されている表示データ等がある。
【００３５】
図１に示す映像配信装置２０は、図４に示すように、制御部２１と、記憶部２２と、入力部２３と、表示部２４と、通信制御部２５とから構成され、各部はバス２６により互いに接続されている。
制御部２１は、ＣＰＵ等により構成され、制御プログラムに従った処理を実行する。
例えば、上記制御プログラムは、映像を要求した要求元の情報処理装置１０ｉに映像を配信する等の処理を行う。
【００３６】
記憶部２２は、図５に示すように、ユーザ登録ファイル２２１、オプションデータファイル２２２、配信用映像ＤＢ２２３、配信映像履歴ＤＢ２２４、停止映像情報ＤＢ２２５を備えている。
【００３７】
ユーザ登録ファイル２２１は、映像等を配信する契約を行ったユーザの内容を示すユーザデータを登録する。
ユーザデータは、ユーザの氏名、住所、電話番号、メールアドレス等からなるデータ項目を備える。
【００３８】
オプションデータファイル２２２は、情報処理装置ｉから送信されてきた後述するオプション情報により生成されたデータ（以下、オプションデータという）を記憶する。
オプションデータは、図６（ａ）に示すように、映像を配信する情報処理装置１０ｉを指定する端末指定ＩＤ、情報処理装置１０ｉに割り当てられたＩＰアドレス、情報処理装置１０ｉに送信するユーザがお気に入りの映像を指定する映像指定情報、及びパスワードからなるデータ項目を備える。
上記パスワードは、例えば、アーティスト等のファンクラブ会員限定の映像を視聴するときや、この映像を見ることをとりやめる際に使用される。
【００３９】
配信用映像ＤＢ２２３は、情報処理装置１０ｉに配信する映像データを記憶する。
配信映像履歴ＤＢ２２４は、情報処理装置１０ｉに配信した映像の履歴を示す履歴データを記憶する。
履歴データは、図６（ｂ）に示すように、映像を送信した送信先のアドレス（ＩＰアドレス）、映像名、ジャンル名、映像開始時間、映像が最後まで流れたか否かを示す配信結果判定情報等を備えている。
ここで、配信結果判定情報が「１」の場合には、映像が最後まで流れたことを示し、「０」の場合には、映像が最後まで流れなかったことを示す。
【００４０】
停止映像情報ＤＢ２２５は、停止された映像を識別する映像識別情報と停止箇所とを含む停止映像情報を備える停止映像情報データを記憶する。停止映像情報は、情報処理装置１０ｉから受信した情報である。
【００４１】
次に、この実施形態に係る映像配信システムの動作を、１）映像表示処理、２）オプション情報入力処理、３）緊急情報表示処理、４）映像に関連する情報の表示処理、５）停止された映像を特定する情報を映像配信装置２０に送信する処理に分けて説明する。
【００４２】
１）映像表示処理を、図７及び図８に示すフローチャートを参照して説明する。
ユーザの操作により電源が立ち上がると（ステップＳ１１）、情報処理装置１０ｉの制御部１１は、タイマ（図示せず）から入力された計時信号をもとにして計時し始める。制御部１１は、操作が未入力のまま、予め設定された時間（１５分）を経過したか否かを判別する（ステップＳ１２）。
制御部１１は、予め設定された上記時間（１５分）を経過したと判別した場合には（ステップＳ１２；ＹＥＳ）、計時した時間を０にクリアし、再び計時を続行する。一方、制御部１１は、入力がなかったと判別した場合には（ステップＳ１２；ＮＯ）、スクリーンセーバを起動させ、表示部１４に表示されている画面を消去（ブラックアウト）する（ステップＳ１３）。
【００４３】
次に、制御部１１は、情報処理装置１０ｉがインターネット３０に接続されているか否かを判別する（ステップＳ１４）。制御部１１は、情報処理装置１０ｉがインターネット３０に接続されていないと判別すると（ステップＳ１４；ＮＯ）、外部記憶部１５のオフライン映像データファイル１５４からオフライン用の映像データを読み出し、読み出した映像データをもとにして表示部１４にオフライン用の映像を表示する（ステップＳ１５）。
【００４４】
その後、制御部１１は、「Ｗａｋｅ　Ｕｐ」ボタンがクリックされたか否かを判別する（ステップＳ１６）。制御部１１は、「Ｗａｋｅ　Ｕｐ」ボタンがクリックされたと判別した場合には（ステップＳ１６；ＹＥＳ）、スクリーンセーバプログラムを停止させ、割り込み時作業状態記憶ファイル１５５に記憶されている、表示画面に映像を表示する前の画面を再び表示させる画面情報を読み出し、読み出した画面情報をもとにして、オフライン用の映像を表示する前の画面を表示部１４に表示し（ステップＳ１７）、ステップＳ１２に移行し、上述したと同様な処理を続行する。一方、制御部１１は、「Ｗａｋｅ　Ｕｐ」ボタンがクリックされていないと判別した場合には（ステップＳ１６；ＮＯ）、ステップＳ１５に処理を移行し、オフライン用の映像を表示部１２に表示し続ける。
【００４５】
ステップＳ１４において、制御部１１は、情報処理装置１０ｉがインターネット３０に接続されていると判別すると（ステップＳ１４；ＹＥＳ）、映像配信装置２０と回線接続し（ステップＳ１８）、配信映像の配信要求をインターネット３０を介して映像配信装置２０に送信する（ステップＳ１９）。
【００４６】
映像配信装置２０の制御部２１は、情報処理装置１０ｉから配信要求を受信すると、記憶部２２の停止映像情報ＤＢ２２５を検索し、配信要求してきた情報処理装置１０ｉの停止映像情報データがあるか否かを判断する（ステップＳ２０）。制御部２１は、配信要求してきた情報処理装置１０ｉの停止映像情報データがあると判断した場合には（ステップＳ２０；ＹＥＳ）、その停止映像情報データを停止映像情報ＤＢ２２５から読み出し、読み出した停止映像情報データに示された停止箇所から該当映像を情報処理装置１０ｉにストリーミング配信する（ステップＳ２１）。
【００４７】
一方、制御部２１は、配信要求してきた情報処理装置１０ｉの停止映像情報データがないと判断した場合には（ステップＳ２０；ＮＯ）、記憶部２２のオプションデータファイル２２２を検索し、配信要求してきた情報処理装置１０ｉに送信する映像があるか否かを判別する（ステップＳ２２）。制御部２１は、配信要求してきた情報処理装置１０ｉに送信する映像があると判別した場合、すなわち、配信要求を送信した情報処理装置１０ｉを指定するオプションデータにより映像指定情報が示されている場合には（ステップＳ２２；ＹＥＳ）、その映像指定情報により指定された映像を記憶部２２の配信用映像ＤＢ２２３から読み出し、読み出した映像を情報処理装置１０ｉにストリーミング配信する（ステップＳ２３）。
【００４８】
一方、制御部２１は、配信要求してきた情報処理装置１０ｉに送信する映像がないと判別した場合（ステップＳ２２；ＮＯ）、すなわち、配信要求を送信した情報処理装置１０ｉを指定するオプションデータに映像指定情報が示されていない場合には、記憶部２２の配信映像履歴ＤＢに記憶されている配信映像履歴データを検索し、所定期間、例えば過去３ヶ月間に当該情報処理装置１０ｉに送信した映像のうち最も多く送信した映像を特定する（ステップＳ２４）。
【００４９】
その後、制御部２１は、上記特定した映像を記憶部２２の配信用映像ＤＢ２２３から読み出し、配信要求してきた情報処理装置１０ｉに読み出した映像をストリーミング配信する（ステップＳ２５）。
【００５０】
情報処理装置１０ｉの制御部１１は、ストリーミング配信されてきた映像データを受信し、図９に示すように、表示画面中のムービーエリアに映像を表示する（ステップＳ２６）。なお、受信した映像データに文字情報又はロゴ情報が含んでいる場合には、制御部１１は、表示画面中のロゴエリアに文字情報又はロゴ情報を表示する。
【００５１】
その後、制御部１１は、「Ｗａｋｅ　Ｕｐ」ボタンがクリックされたか否かを判別する（ステップＳ２７）。制御部１１は、「Ｗａｋｅ　Ｕｐ」ボタンがクリックされたと判別した場合には（ステップＳ２７；ＹＥＳ）、スクリーンセーバプログラムの起動を停止し、割り込み時作業状態記憶ファイル１５５に記憶されている、表示画面に映像を表示する前の画面を再び表示させる画面情報を読み出し、読み出した画面情報をもとにして、映像を表示する前の画面を表示部１４に表示する（ステップＳ２８）。次に、制御部１１は、ステップＳ１２に移行し、上述したと同様な処理を続行する。一方、制御部１１は、「Ｗａｋｅ　Ｕｐ」ボタンがクリックされていないと判別した場合には（ステップＳ２７；ＮＯ）、ステップＳ２６に処理を移行し、映像を表示部１４に表示し続ける。
【００５２】
２）オプション情報入力処理を、図１０に示すフローチャートを参照して説明する。
情報処理装置１０ｉの制御部１１は、映像をストリーミング表示している際に、ユーザの操作により「オプション」ボタンがクリックされると、表示画面中に図１１（ａ）に示す「オプション画面」がポップアップして表示される（ステップＳ３１）。
上記「オプション画面」は、「背景色決定」ボタン、「お気に入り」ボタン、「パスワード」ボタン、及び「Ｃｌｏｓｅ」ボタンが表示されている。
その後、制御部は、「オプション画面」中に表示されている、「背景色決定」ボタン、「お気に入り」ボタン、及び「パスワード」ボタンのうちのいずれのボタンがクリックされたか否かを判別する（ステップＳ３２）。
【００５３】
制御部１１は、「背景色決定」ボタンがクリックされたと判別すると（ステップＳ３２；「背景色決定」ボタン）、図１１（ｂ）に示す、背景色決定画面を表示する。
上記背景色決定画面は、映像を表示するムービーエリア、ロゴ及文字を表示するロゴエリア、オプションボタン、映像の早送りや巻き戻しを入力するボタン群が表示されている箇所、及び音声を変更するボタンが表示されている箇所以外の表示画面（背景画面）の色を決定するために用いられる画面である。
この背景色決定画面には、背景画面の色を決定させる複数のボタン（「色見本」ボタンという）、「決定」ボタン、「キャンセル」ボタン、「Ｃｌｏｓｅ」ボタンが表示されている。
【００５４】
制御部１１は、ユーザの操作により、背景色決定画面中に表示されている「色見本」ボタンの中から１つが選択されてクリックされたのち、「決定」ボタンがクリックされると、背景画面を上記クリックした「色見本」ボタンにより決定された色に変更する（ステップＳ３３）。なお、「Ｃｌｏｓｅ」ボタンがクリックされると、「オプション画面」が消去される。
【００５５】
制御部１１は、「お気に入り」ボタンがクリックされたと判別すると（ステップＳ３２；「お気に入り」ボタン）、図１２（ａ）に示す、お気に入り画面を表示する（ステップＳ３４）。
上記「お気に入り画面」は、ユーザが配信を所望する映像を指定するために用いられる画面であって、現在、視聴している映像がお気に入りで、この映像をお気に入りの映像として登録する場合に使用される「登録」ボタン、及び「Ｃｌｏｓｅ」ボタンを備えている。
【００５６】
制御部１１は、「登録」ボタンがクリックされると記憶部１２にお気に入り映像リスト１５２を生成するとともに、現在流れている映像がお気に入りであり、この映像を登録することの要求をインターネット３０を介して映像配信装置２０に送信する（ステップＳ３６）。
【００５７】
制御部１１は、「パスワード」ボタンがクリックされたと判別すると（ステップＳ３２；「パスワード」ボタン）、図１２（ｂ）に示す、「パスワード入力画面」を表示する（ステップＳ３５）。
上記「パスワード入力画面」は、例えば、アーティスト等のファンクラブ会員限定の映像を視聴するときや、この映像を見ることをとりやめる際に使用されるパスワードの入力欄（パスワード入力欄）、「決定」ボタン、「キャンセル」ボタン、及び「Ｃｌｏｓｅ」ボタンを備えている。
【００５８】
制御部１１は、「パスワード入力画面」中のパスワード入力欄にユーザが指定したパスワードが入力され、「決定」ボタンがクリックされると（ステップＳ３５）、これらの入力事項をインターネット３０を介して映像配信装置２０に送信する（ステップＳ３６）。
【００５９】
映像配信装置２０の制御部２１は、情報処理装置１０ｉよりお気に入りの映像名又は「パスワード」の入力事項が送信されると、送信されてきた入力事項から図６（ａ）に示すオプションデータを生成し、オプションデータファイル２２２にに登録する（ステップＳ３７）。
ここで、図６（ａ）に示すオプションデータ中のＩＰアドレスは、送信してきた情報処理装置のＩＰアドレスであり、映像指定情報は、入力事項として送信されてきたお気に入りの映像名を指定する映像指定情報であり、パスワードは、入力事項として送信されてきたパスワードである。
【００６０】
情報処理装置１０ｉの制御部１１は、ユーザによりオプション画面に表示されている「Ｃｌｏｓｅ」ボタンがクリックされると、オプション画面を表示部１４から消去して処理を終了する。
【００６１】
３）緊急情報を表示させる処理を、図１３に示するフローチャートを参照して説明する。
情報処理装置１０ｉの制御部１１は、緊急情報配信サーバ（図示せず）より緊急情報が有る旨の通知を受けると（ステップＳ４１）、緊急情報を表示してもよいか否かを設定事項登録リスト１５１を参照して判別する（ステップＳ４２）。制御部１１は、緊急情報を表示してもよいと判別した場合には（ステップＳ４２；ＹＥＳ）、緊急情報配信サーバに緊急情報の内容を示す映像の配信要求を送信する（ステップＳ４３）。
【００６２】
緊急情報配信サーバは、上記配信要求を受信すると、緊急情報を示す映像（文字情報も含む）をインターネット３０を介して情報処理装置１０ｉに送信する。
【００６３】
情報処理装置１０ｉは、上記映像を受信し、緊急情報を示す映像をムービーエリアに表示、また文字情報を含んでいる場合には更にロゴエリアに表示する（ステップＳ４４）。
【００６４】
その後、制御部１１は、緊急情報を表示しているムービーエリア中に表示されているクリッカブルマップの部分がクリックされたか否かを判断する（ステップＳ４５）。制御部１１は、上記クリッカブルマップがクリックされたと判別した場合には（ステップＳ４５；ＹＥＳ）、ブラウザを起動し、クリッカブルマップにリンクされているＵＲＬにより指定された、緊急情報に関連するＷｅｂページにアクセス、該Ｗｅｂページを読み出し、読み出したＷｅｂページを表示部１４に表示する（ステップＳ４６）。一方、制御部１１は、ムービーエリアがクリックされなかった判別した場合には（ステップＳ４５；ＮＯ）、緊急情報の表示が終了するか否かを判別する（ステップＳ４７）。
【００６５】
制御部１１は、緊急情報の表示が終了すると判別した場合には（ステップＳ４７；ＹＥＳ）、処理を終了する。一方、制御部１１は、緊急情報の表示が終了しないと判別した場合には（ステップＳ４７；ＮＯ）、ステップＳ４４に移行し、このまま緊急情報を表示する。
【００６６】
ステップＳ４２において、制御部１１は、緊急情報を表示してはいけないと判別した場合には（ステップＳ４２；ＮＯ）、そのまま映像配信装置２０から受信した映像を表示し続ける。
【００６７】
４）映像に関連する情報の表示処理を説明する。なお、この処理を説明するにあたっては、フローチャートを参照するまでもないので、フローチャートを使用しない。
【００６８】
制御部１１は、ムービーエリア中に表示されているクリッカブルマップがクリックされるとブラウザを起動させ、クリッカブルマップにリンクされているＵＲＬにより指定されたＷｅｂページにアクセスし、該Ｗｅｂページを読み出し、読み出したＷｅｂページを表示部１４に表示する。
【００６９】
制御部１１は、例えば、Ｗｅｂページに表示されている「終了」ボタン（図示せず）がクリックされると、Ｗｅｂページを表示画面から消去し、元の映像を表示しつづける。
【００７０】
５）停止された映像を特定する情報を映像配信処理２０に送信する処理を説明する。なお、この処理を説明するにあたっては、フローチャートを参照するまでもないので、フローチャートを使用しない。
【００７１】
情報処理装置１０ｉの制御部１１は、表示画面に映像が表示されている途中、ユーザの操作により、図９に示す「Ｗａｋｅ　Ｕｐ」ボタンがクリックされると、ムービーエリアに表示されている映像の表示を停止する（ロゴエリアに文字又はロゴが表示されている場合には、文字又はロゴの表示も停止する）。
【００７２】
その後、制御部１１は、映像を表示し始めてから映像を停止するまでの停止時間を算出する。次に、制御部１１は、停止した映像を識別する映像ＩＤ（映像識別情報）と算出した停止時間とを備える停止映像情報を、ネットワーク３０を介して、映像配信装置２０に送信する。
【００７３】
映像配信装置２０は、情報処理装置１０ｉより停止映像情報を受信すると、受信した停止映像情報をもとにして停止映像情報データを生成し、生成した停止映像情報データを記憶部２２の停止映像情報ＤＢ２２５に記憶し、処理を終了する。
【００７４】
この実施形態に係る映像配信システムによれば、情報処理装置１０ｉにおいて、操作が未入力のまま予め設定されている時間（１５分）を経過すると、スクリーンセーバが自動的に起動し、映像配信装置２０より映像を受信し、受信した映像を表示部１４に表示するので、ユーザが所望する映像を表示させることができる。
なお、表示させる映像に広告等を含めておけば、バナー広告に目を止めることが少なかった人でも、あたかもＴＶ（テレビジョン）を見るかのように広告を見ることができ、広告効果を高めることができる。
【００７５】
この映像配信システムによれば、情報処理装置１０ｉが消去された表示画面に表示させる映像名を映像配信装置２０に送信するので、ユーザが所望する映像を表示画面に表示させることができる。
【００７６】
また、この映像配信システムによれば、情報処理装置１０ｉが緊急情報を受信すると、受信した緊急情報を表示するので、ユーザに対して緊急情報を迅速に告知することができる。
【００７７】
また、この映像配信システムによれば、表示されている緊急情報の中のクリッカブルマップがクリックされると、該緊急情報に関連する情報を表示するので、緊急情報について一層その内容を知ることができる。
【００７８】
また、この映像配信システムによれば、情報処理装置１０ｉとインターネット３０との接続状態がオフライン状態のときでも、情報処理装置１０ｉがオフライン用の映像を表示するので、必ず焼付け防止用の映像を表示画面に表示することができる。
【００７９】
また、この映像配信システムによれば、停止された映像を識別する映像識別情報と停止箇所とを含む停止映像情報を情報処理装置１０ｉより映像配信装置２０に送信するので、情報処理装置１０ｉが映像配信装置２０に映像の配信要求を送信することにより、情報処理装置１０ｉに停止箇所から継続して映像を表示させることができる。
【００８０】
上述した実施形態の映像配信システムは、映像配信装置２０が情報処理装置１０ｉより映像の配信要求を受けると、オプションデータファイル２２２を参照して、配信する映像を特定し、特定した映像を情報処理装置１０ｉに配信するような構成になっている。
これ以外の映像配信システムとして、ユーザが配信を希望する映像がある場合、情報処理装置の表示部１４に、図１４に示すお気に入り画面を表示させ、この画面中の入力欄に配信を希望する映像を識別する情報として映像ＩＤを入力し、入力した映像ＩＤを情報処理装置１０ｉのお気に入り映像リスト１５２に登録させる。その後、情報処理装置映１０ｉは、配信装置２０により配信してもらう映像の映像ＩＤを含む配信要求を映像配信装置２０に送信し、映像配信装置２０が該識別情報により示された映像を情報処理装置１０ｉに送信してもよい。
【００８１】
【発明の効果】
以上、この発明によれば、表示画面の焼付けを防止するときに表示される映像をユーザが多様に選択することができる。
【図面の簡単な説明】
【図１】この発明の実施形態に係る映像配信システムの構成を示すブロック図である。
【図２】図１中の情報処理装置の構成を示す図である。
【図３】図２中の設定事項登録リストの構成を示す図である。
【図４】図１中の映像配信装置の構成を示す図ある。
【図５】図４中の記憶部の構成を示す図である。
【図６】（ａ）オプションデータの構成を示す図である。
（ｂ）配信映像履歴データの構成を示す図である。
【図７】映像表示処理を示すフローチャートである。
【図８】映像表示処理を示すフローチャートである。
【図９】表示画面の例を示す図である。
【図１０】オプション情報を入力する処理を示すフローチャートである。
【図１１】（ａ）オプションデータを入力する画面の例を示す図である。
（ｂ）背景色を決定する入力画面の例を示す図である。
【図１２】（ａ）お気に入り入力画面の例を示す図である。
（ｂ）パスワード入力画面の例を示す図である。
【図１３】緊急情報を表示する処理を示すフローチャートである。
【図１４】他の実施形態に係る映像配信システムに使用されるお気に入り入力画面の例を示す図である。
【符号の説明】
１０ｉ　情報処理装置
１１　制御部
１２　内部記憶部
１３　入力部
１４　表示部
１５　外部記憶部
１５１　設定事項登録ファイル
１５２　お気に入り映像リスト
１５３　映像データファイル
１５４　オフライン映像データファイル
１５５　割込み時作業状態記憶ファイル
１６　通信制御部
２０　映像配信装置
２１　制御部
２２　記憶部
２２１　ユーザ登録ファイル
２２２　オプションデータファイル
２２３　配信用映像ＤＢ
２２４　配信映像履歴ＤＢ
２２５　停止映像情報ＤＢ
２３　入力部
２４　表示部
２５　通信制御部
【図１】
2004023775.tif 000003
【図２】
2004023775.tif 000004
【図３】
2004023775.tif 000005
【図４】
2004023775.tif 000006
【図５】
2004023775.tif 000007
【図６】
2004023775.tif 000008
【図７】
2004023775.tif 000009
【図８】
2004023775.tif 000010
【図９】
2004023775.tif 000011
【図１０】
2004023775.tif 000012
【図１１】
2004023775.tif 000013
【図１２】
2004023775.tif 000014
【図１３】
2004023775.tif 000015
【図１４】
2004023775.tif 000016